(57)【特許請求の範囲】
【請求項１】
被収容物を収容したフレキシブルコンテナバッグを載置するための床と当該床の周縁部を囲んで上方に延長するように設けられた筒体とを有したフレキシブルコンテナバッグ載置部と、
吊り下げられた状態で前記フレキシブルコンテナバッグ載置部の筒体を通って前記フレキシブルコンテナバッグ載置部の床上に載置された前記フレキシブルコンテナバッグの底部を切断するための切断装置とを備え、
前記フレキシブルコンテナバッグ載置部の床は、前記筒体の下端開口縁部に回転中心軸を介して回動可能に設けられた複数の可動床により構成され、当該複数の可動床の床面が前記フレキシブルコンテナバッグの底面を支持可能な閉状態と当該複数の可動床の床面が前記フレキシブルコンテナバッグの底面を支持しない開状態とに設定可能に構成され、
前記複数の可動床は、前記閉状態において、互いに隣り合う一方の可動床の縁と他方の可動床の縁とが隙間を隔てて対向するように形成されていて、前記隙間が前記切断装置の切断手段を通過させる複数の切断案内溝として機能し、
前記複数の切断案内溝は、前記閉状態の床の中央を通過して前記筒体の下端開口縁に到達するように構成された複数の交差する直線状の溝により形成され、
前記切断装置は、前記直線状の各切断案内溝毎に対応して設けられた複数の切断手段を備え、当該各切断手段が前記直線状の各切断案内溝の一端側と他端側との間を往復動可能なように構成され、
前記切断手段が前記切断案内溝を通過して前記閉状態の床に載置されているフレキシブルコンテナバッグの底部を切断した後に、前記床が開状態に設定されることにより、吊り下げられた状態の前記フレキシブルコンテナバッグ内の被収容物が自然落下するように構成されたことを特徴とする被収容物を収容したフレキシブルコンテナバッグの破袋装置。
【請求項２】
前記被収容物としての放射性廃棄物を収容して前記フレキシブルコンテナバッグ載置部の床上に載置されたフレキシブルコンテナバッグの重量を測定する重量測定装置と、前記フレキシブルコンテナバッグ載置部の床上に載置されたフレキシブルコンテナバッグ内の放射性廃棄物の放射線量を測定する放射線量測定装置とを備えたことを特徴とする請求項１に記載の被収容物を収容したフレキシブルコンテナバッグの破袋装置。
【請求項３】
前記重量測定装置で測定された重量と前記放射線量測定装置で測定された放射線量とに基づいて算出された放射能濃度が所定値以上であれば前記フレキシブルコンテナバッグから落下する放射性廃棄物を一方向に搬送するとともに、前記放射能濃度が所定値未満であれば前記フレキシブルコンテナバッグから落下する放射性廃棄物を他方向に搬送する搬送装置を備えたことを特徴とする請求項２に記載の被収容物を収容したフレキシブルコンテナバッグの破袋装置。
【請求項４】
前記切断手段は、刃物、回転式切断機、又は、ウォータジェットであることを特徴とする請求項１乃至請求項３のいずれか一項に記載の被収容物を収容したフレキシブルコンテナバッグの破袋装置。
【発明の詳細な説明】
【技術分野】
【０００１】
本発明は、放射性廃棄物、一般廃棄物、産業廃棄物等の被収容物を収容したフレキシブルコンテナバッグを破袋する装置に関する。
【背景技術】
【０００２】
放射性廃棄物、一般廃棄物、産業廃棄物等の被収容物を収容して運搬するための耐久性の高いフレキシブルコンテナバッグが知られている（特許文献１等参照）。
そして、被収容物を収容したフレキシブルコンテナバッグを破袋する破袋装置として、フレキシブルコンテナバッグの底部を刃物等の切断手段で破袋する装置が知られている（特許文献２，３等参照）。
【先行技術文献】
【特許文献】
【０００３】
【特許文献１】特開２０１２−１２１６２９号公報
【特許文献２】特開２００４−３２３１１５号公報
【特許文献３】特開２００９−９６５４５号公報
【発明の概要】
【発明が解決しようとする課題】
【０００４】
しかしながら、特許文献２の破袋装置では、フレキシブルコンテナバッグの底の中央部分を切断するので、フレキシブルコンテナバッグの底部の周縁側の被収容物が落下せずにフレキシブルコンテナバッグ内に残留してしまう可能性がある。
また、特許文献３の破袋装置では、預け台に載置されるフレキシブルコンテナバッグの底の周縁を刃物で切断する構成であるため、フレキシブルコンテナバッグの底を預け台の所定の位置に正しく載置できなかった場合には、フレキシブルコンテナバッグ内の被収容物が排出されるようにフレキシブルコンテナバッグの底を切断することができなくなり、被収容物が落下せずにフレキシブルコンテナバッグ内に残留してしまう可能性がある。
本発明は、被収容物を収容したフレキシブルコンテナバッグの底部を切断してフレキシブルコンテナバッグ内に被収容物を残留させないように排出させることが可能な破袋装置を提供する。
【課題を解決するための手段】
【０００５】
本発明に係る被収容物を収容したフレキシブルコンテナバッグの破袋装置は、被収容物を収容したフレキシブルコンテナバッグを載置するための床と当該床の周縁部を囲んで上方に延長するように設けられた筒体とを有したフレキシブルコンテナバッグ載置部と、吊り下げられた状態で前記フレキシブルコンテナバッグ載置部の筒体を通って前記フレキシブルコンテナバッグ載置部の床上に載置された前記フレキシブルコンテナバッグの底部を切断するための切断装置とを備え、前記フレキシブルコンテナバッグ載置部の床は、前記筒体の下端開口縁部に回転中心軸を介して回動可能に設けられた複数の可動床により構成され、当該複数の可動床の床面が前記フレキシブルコンテナバッグの底面を支持可能な閉状態と当該複数の可動床の床面が前記フレキシブルコンテナバッグの底面を支持しない開状態とに設定可能に構成され、前記複数の可動床は、前記閉状態において、互いに隣り合う一方の可動床の縁と他方の可動床の縁とが隙間を隔てて対向するように形成されていて、前記隙間が前記切断装置の切断手段を通過させる複数の切断案内溝として機能し、前記複数の切断案内溝は、前記閉状態の床の中央を通過して前記筒体の下端開口縁に到達するように構成された複数の交差する直線状の溝により形成され、前記切断装置は、前記直線状の各切断案内溝毎に対応して設けられた複数の切断手段を備え、当該各切断手段が前記直線状の各切断案内溝の一端側と他端側との間を往復動可能なように構成され、前記切断手段が前記切断案内溝を通過して前記閉状態の床に載置されているフレキシブルコンテナバッグの底部を切断した後に、前記床が開状態に設定されることにより、吊り下げられた状態の前記フレキシブルコンテナバッグ内の被収容物が自然落下するように構成されたので、被収容物のフレキシブルコンテナバッグの底部を切断してフレキシブルコンテナバッグ内に被収容物を残留させないように排出させることが可能な破袋装置となる。
また、前記被収容物としての放射性廃棄物を収容して前記フレキシブルコンテナバッグ載置部の床上に載置されたフレキシブルコンテナバッグの重量を測定する重量測定装置と、前記フレキシブルコンテナバッグ載置部の床上に載置されたフレキシブルコンテナバッグ内の放射性廃棄物の放射線量を測定する放射線量測定装置とを備えたので、フレキシブルコンテナバッグ内の放射性廃棄物の放射能濃度を算出することが可能となり、放射性廃棄物を放射能濃度別に分別することが可能となる。
また、前記重量測定装置で測定された重量と前記放射線量測定装置で測定された放射線量とに基づいて算出された放射能濃度が所定値以上であれば前記フレキシブルコンテナバッグから落下する放射性廃棄物を一方向に搬送するとともに、前記放射能濃度が所定値未満であれば前記フレキシブルコンテナバッグから落下する放射性廃棄物を他方向に搬送する搬送装置を備えたので、放射性廃棄物を放射能濃度別に分別する作業が容易となる。
また、前記切断手段として、刃物、回転式切断機、又は、ウォータジェットを用いたので、フレキシブルコンテナバッグの底部を確実に切断でき、また、被収容物として可燃性の物が含まれている場合でも安全にフレキシブルコンテナバッグの底部を切断できる。
【図面の簡単な説明】
【０００６】
【図１】破袋装置の平面図。
【図２】破袋装置の床開状態時の側面図。
【図３】破袋装置による処理の流れを示す図。
【図４】切断装置の動作説明図。
【図５】切断装置の他例を示す図。
【図６】切断装置の他例を示す図。
【図７】切断装置の他例を示す図。
【発明を実施するための形態】
【０００７】
図１乃至図４を参照し、被収容物としての例えば放射性廃棄物を収容したフレキシブルコンテナバッグ（以下「フレコン」という）１０を破袋する破袋装置１について説明する。
【０００８】
破袋装置１は、地上、建物床、車両の荷台床等の設置対象部Ａに固定状態に設置された架台２と、架台２に設置されたフレコン処理装置３と、フレコン１０から排出された放射性廃棄物を放射能濃度別に分別して所定の場所に搬送する搬送装置４とを備える。
【０００９】
フレコン処理装置３は、フレコン載置部５と、重量測定装置６と、放射線量測定装置７と、切断装置８とを備える。
【００１０】
フレコン載置部５は、フレコン１０を載置するための床５１と、当該床５１の周縁部を囲んで上方に延長するように設けられた筒体５２と、支持アーム５６とを備えて構成される。
【００１１】
床５１は、上下端が開口するように架台２に支持された筒体５２の下端開口縁部に設けられた複数の可動床５３，５３…により構成される。
可動床５３は、床面がフレコン１０の底面を支持可能な状態（例えば床面が水平面）に設定される閉状態と、床面が閉状態において切断されるフレコン１０の底部を介してフレコン１０内の放射性廃棄物を自然落下させることが可能な状態（例えば床面が垂直面）に設定される開状態とに状態変化可能に構成された床である。
言い換えれば、フレコン載置部５の床５１は、フレコン１０の重量を支えるとともにフレコン１０の切断された底部を支えることが可能な閉状態と、フレコン１０の切断された底部を下方に開放する開状態とに設定可能な複数の可動床５３，５３…により構成される。
つまり、床５１は、複数の可動床５３，５３…により構成され、当該複数の可動床５３，５３…の床面がフレコン１０の底面を支持可能な閉状態と当該複数の可動床５３，５３…の床面がフレコン１０の底面を支持しない開状態とに設定可能に構成される。
【００１２】
各可動床５３は、例えば正四角形の筒体５２の下端開口縁部における正四角形のそれぞれの一辺に沿った回転中心軸５７を備えた二等辺三角形の可動床により構成される。即ち、この場合、床５１は、等しい二等辺三角形の４つの可動床５３，５３…により構成される。各可動床５３，５３…の回転中心軸５７は、ヒンジ等により正四角形の筒体５２の下端開口縁部における正四角形のそれぞれの一辺に回動可能に連結されている。
例えば、各可動床５３の回転中心軸５７は、通常、図外のコイルバネによって閉状態を維持するように構成されており、制御装置がモータを制御して各可動床５３の回転中心軸５７をコイルバネの付勢力に抗して回転させることにより、各可動床５３が開状態に設定される。
【００１３】
即ち、クレーン等の揚重機の吊フック１５をフレコン１０の吊り紐１１に引っ掛けてフレコン１０を揚重機で吊り上げて床５１上に載置する場合には、図外の制御装置は、複数の可動床５３，５３…の床面が同一の水平面上に位置されるように複数の可動床５３，５３…を制御して床５１を閉状態とする。
この閉状態の床５１において、互いに隣り合う一方の可動床５３の縁と他方の可動体５３の縁とが隙間を隔てて対向するように構成されている。そして、閉状態の床５１の下方からウォータジェットや刃物等の切断手段が前記隙間を通過してフレコン１０の底部に当たることでフレコン１０の底部が切断されるように構成されている。
【００１４】
つまり、前記隙間が切断手段を通過させる切断案内溝５５として機能する。当該切断案内溝５５は、閉状態の床５１の中央を通過する直線状に形成されている。また、当該切断案内溝５５の溝幅は、切断手段による切断径寸法（ウォータジェットの流径寸法や刃物の刃厚寸法）よりも大きい例えば一定の幅寸法に形成される。当該切断案内溝５５の溝幅は、例えば０．１ｍｍ〜１ｍｍ程度のウォータジェットの流径寸法や刃物の刃厚寸法よりも若干大きい数ｍｍ〜数ｃｍに設定される。
従って、切断手段が切断案内溝５５に沿って移動するように制御されることで、閉状態の床５１上に載置されたフレコン１０の底部が切断案内溝５５に沿って切断されることになる。
そして、閉状態の床５１上に載置されたフレコン１０の底部が切断案内溝５５に沿って切断された後、図外の制御装置が複数の可動床５３，５３…を開状態に設定することで、切断されているフレコン１０の底部がフレコン１０内の放射性廃棄物の重量により底抜け状態となってフレコン１０内の放射性廃棄物が自然落下するように構成されている。
【００１５】
筒体５２は、例えば中心軸と直交する断面が正四角形の筒体により形成される。この場合、可動床５３，５３…は等しい二等辺三角形のものが４つ設けられ、切断案内溝５５は、筒体５２の下端開口縁部における正四角形の対角同士を繋ぐ２本の直線状の溝により十字状に形成される。このため、放射性廃棄物を収容した円柱状のフレコン１０がフレコン載置部５の床５１に載置された場合、フレコン１０の底部の外周と筒体５２の下端開口縁部における正四角形の各対角との間に切断案内溝５５が存在することになる。従って、当該切断案内溝５５を通過する切断手段が、フレコン１０の周面（側部）の底部側を切断することが可能となる。
【００１６】
即ち、切断案内溝５５が閉状態の床５１の中央を通過する２つの直線状に形成されており、また、後述するように、切断装置８は、切断手段が直線状の切断案内溝５５の一端側と他端側との間を往復動可能なように構成されているので、切断手段が直線状の切断案内溝５５の一端側に位置するフレコン１０の底部の外周端を切断した後にフレコン１０の底部の中央部を通過して切断案内溝５５の他端側に位置するフレコン１０の底部の外周端を切断する。即ち、切断手段が筒体５２の下端開口縁部における正四角形の対角同士を繋ぐ対角線Ｆ上を通過することで、フレコン１０の底部が複数の直径線状に切れて４等分に切断され、フレコン１０の底部の外周側が切断されずに残るようなことなく、フレコン１０内に放射性廃棄物を残留させないように排出させることが可能なように、フレコン１０の底部を底抜けさせることができるようになる。
また、上述したように、当該切断案内溝５５を通過する切断手段が、フレコン１０の周面（側部）の底部側を切断することが可能なように構成されているため、フレコン１０内に放射性廃棄物を残留させないように排出させることが可能なように、フレコン１０の底部をより確実に底抜けさせることができるようになる。
【００１７】
即ち、フレコン載置部５は、中心軸が垂直となるように架台２の４つの支柱２１，２１…にロードセルを介して支持された筒体５２と、筒体５２の下端開口側に回動可能に設けられた複数の可動床５３，５３…により形成された床５１とを備え、閉状態の床５１において互いに隣り合う一方の可動床５３の縁と他方の可動体５３の縁との間に隙間により、閉状態の床５１の中央を通過する複数の直線状の切断案内溝５５が形成された構成である。
【００１８】
尚、フレコン載置部５は、筒体５２を備えているので、床５１が開状態になった後にフレコン１０内の放射性廃棄物が筒体５２の外側にこぼれてしまうことが防止される。
また、筒体５２は、フレコン１０を床５１に載置する際の目標、及び、ガイドとして機能する。
【００１９】
重量測定装置６は、フレコン載置部５に置かれたフレコン１０の重量を測定するための例えばロードセル（荷重(力)を電気信号に変換する荷重変換器）等が用いられる。例えば、断面が正四角形の筒体５２の周面における４つの角部から延長するように設けられた４つの支持アーム５６，５６…が、架台２の４つの支柱２１，２１…の上端側に設けられたロードセルを介して支持されていることにより、フレコン１０載置部５に置かれたフレコン１０の重量をロードセルで測定できるように構成されている。
【００２０】
放射線量測定装置７は、フレコン載置部５に置かれたフレコン１０内の放射性廃棄物の放射線量を測定するための例えばＧＭ管やシンチレータを利用した測定器等が用いられる。測定器は、例えば、正四角形の筒体５２の互いに隣り合う４つの壁にそれぞれ設けられた貫通孔である測定器設置孔７１に設置され、筒体５２の内側に位置されたフレコン１０の外周面に測定器を近付けてフレコン１０内の放射線量を測定できるように構成されている。
【００２１】
切断装置８は、フレコン１０載置部５に置かれたフレコン１０の底部を切断するための例えば２つのウォータージェット装置８１，８１が用いられる。
ウォータージェット装置８１は、高圧水を生成する図外のポンプと、ノズル８２と、ポンプとノズル８２とを連通可能に繋ぐ図外の配管と、ノズル８２を所定の方向に往復移動させる移動手段８３と、図外の制御装置とを備え、ポンプで生成された高圧水を配管を通してノズル８２の噴射口からウォータージェットとして噴射させる装置である。
切断手段としてのウォータージェットは、例えば、ポンプにて３００Ｍｐａ程度に加圧された水が径０．１ｍｍ〜１ｍｍ程度の噴射口を通して噴射されることで形成される流径の細い水流である。
移動手段８３は、レール８５と、レール８５上を走行する走行体８６とを備える。
走行体８６は、例えばレール８５上を走行する車輪のような走行手段を備えるとともに、先端にノズル８２が設けられた構成である。
【００２２】
例えば、図４に示すように、一方のウォータージェット装置８１のレール８５は、筒体５２の下端開口縁部における正四角形の対角同士を繋ぐ一方の対角線Ｆと平行に延長するように設けられ、かつ、他方のウォータージェット装置８１のレール８５は、筒体５２の下端開口縁部における正四角形の対角同士を繋ぐ他方の対角線Ｆと平行に延長するように設けられる。
よって、一方のウォータージェット装置８１は、筒体５２の下端開口縁部における正四角形の対角同士を繋ぐ一直線状の一方の切断案内溝５５に沿ってノズル８２の噴射口から噴出されるウォータージェットが直線状の一方の切断案内溝５５の一端側と他端側との間で往復動可能なように構成され、他方のウォータージェット装置８１は、筒体５２の下端開口縁部における正四角形の対角同士を繋ぐ一直線状の他方の切断案内溝５５に沿ってノズル８２の噴射口から噴出されるウォータージェットが直線状の他方の切断案内溝５５の一端側と他端側との間で往復動可能なように構成される。
従って、フレコン１０の底部が切断されるまで、切断手段を切断案内溝５５の一端側と他端側との間で複数回往復動させることも可能となり、フレコン１０の底部を確実に切断することが可能となる。
【００２３】
また、図４に示すように、一方のウォータージェット装置８１のノズル８２の噴射口から噴出されるウォータージェットが一方の切断案内溝５５の一端側と他端側との間の中央を通過した後に、他方のウォータージェット装置８１のノズル８２の噴射口から噴出されるウォータージェットが他方の切断案内溝５５の一端側と他端側との間の中央を通過するように、各ウォータージェット装置８１，８１を駆動させる。即ち、各ウォータージェット装置８１，８１を時間差駆動させる。
【００２４】
さらに、ウォータージェット装置８１は、フレコン１０の底部を切断後、床５１が閉状態から開状態に設定される前に、ノズル８２の噴射口が閉状態の床５１の真下位置から外れた位置に退避するように構成されている。例えば、ノズル８２の噴射口が筒体５２の下端面における角部の真下位置に退避するように構成される。そして、ノズル８２の噴射口が退避した後に、床５１が閉状態から開状態に設定されることで、フレコン１０の切断された底を抜けて落下する放射性廃棄物がノズル８２の噴射口に衝突することを防止でき、噴射口の損傷を防止できる。
【００２５】
搬送装置４は、フレコン載置部５に置かれたフレコン１０の底部が切断手段で切断された後に、複数の可動床５３，５３…が開状態に設定されることで開放されるフレコン１０の底部を介して下方に排出された放射性廃棄物を受けて搬送するための搬送装置であって、例えばベルトコンベヤを正逆方向に搬送可能なベルトコンベヤ装置である。
【００２６】
次に図３に基づいて破袋装置１による処理の流れを説明する。
まず、フレコン１０をクレーン等の揚重機で吊り下げた状態でフレコン１０処理装置の床５１上に載置し、フレコン１０の重量を床５１に預けるようにする。即ち、フレコン１０をフレコン１０処理装置にセットする（ステップＳ１）。この場合、フレコン１０は筒体５２を通って床５１上に載置されるため、床５１上に所定の状態に確実に載置されるようになる。
次にフレコン１０処理装置５にセットされたフレコン１０の重量が重量測定装置６で測定される（ステップＳ２）。
また、作業者がフレコン処理装置５にセットされたフレコン１０の外周面に放射線量測定装置７を突付けるようにしてフレコン１０内の放射性廃棄物の放射線量を測定する（ステップＳ３）。
そして、作業者が、放射性廃棄物の放射線量／フレコン１０内の放射性廃棄物の重量（＝測定値からフレコン載置部５及び放射線量測定装置７の重量とフレコン１０単体の重量とを引いた値）を計算して、フレコン１０内の放射性廃棄物の放射能濃度を求める。
次に作業者は、フレコン１０処理装置にセットされたフレコン１０の底部を切断するために、ウォータージェット装置８１，８１を作動させる（ステップＳ４）。
そして、作業者は、フレコン１０の底が切断されたことを確認して、ウォータージェット装置８１，８１を停止させてノズル８２の噴射口が床５１の真下位置から外れるように退避させた後、フレコン１０内の放射性廃棄物の放射能濃度が８０００ベクレル／ｋｇ以上であれば、ベルトコンベヤ装置のベルトコンベヤを正方向に循環駆動させ、フレコン１０内の放射性廃棄物の放射能濃度が８０００ベクレル／ｋｇ未満であれば、ベルトコンベヤを逆方向に循環駆動させた後に、床５１を開状態にする（ステップＳ５）。
これにより、フレコン１０から落下する放射性廃棄物の放射能濃度が８０００ベクレル／ｋｇ以上であれば、当該放射性廃棄物はベルトコンベヤ上に載って正方向に搬送されて所定の場所に搬送され、フレコン１０から落下する放射性廃棄物の放射能濃度が８０００ベクレル／ｋｇ未満であれば、当該放射性廃棄物はベルトコンベヤ上に載って逆方向に搬送されて所定の場所に搬送される。即ち、放射性廃棄物が放射能濃度に振り分けられて所定の場所に搬送される（ステップＳ６）。
フレコン１０内の放射性廃棄物を落下させた後、空になったフレコン１０をクレーン等の揚重機で吊り上げてフレコン１０載置部５より撤去する。以後、以上の動作を繰り返す。
【００２７】
尚、作業者がフレコン１０処理装置５にセットされたフレコン１０の外周面に放射線量測定装置７を突付ける作業以外の処理は、図外の制御装置に行わせるようにしてもよい。
即ち、測定された放射性廃棄物の放射線量と測定されたフレコン１０内の放射性廃棄物の重量とを制御装置（コンピュータ）に出力して放射能濃度を計算させ、かつ、切断装置８の駆動／停止タイミング、床５１の開閉タイミングをすべて制御装置に行わせるようにしてもよい。
【００２８】
実施形態の破袋装置１によれば、フレコン１０の底部を切断してフレコン１０内に放射性廃棄物を残留させないように排出させることが可能な破袋装置１を提供できる。
また、重量測定装置６と放射線量測定装置７とを備えているので、フレコン１０内の放射性廃棄物の放射能濃度を算出することが可能となり、放射性廃棄物を放射能濃度別に分別することが可能となる。
また、放射能濃度が所定値以上であればフレコン１０から落下する放射性廃棄物を一方向に搬送するとともに、放射能濃度が所定値未満であればフレコン１０から落下する放射性廃棄物を他方向に搬送する搬送装置を備えているので、放射性廃棄物を放射能濃度別に分別する作業が容易となる。
即ち、フレコン１０の重量を測定する処理とフレコン１０内の放射性廃棄物の放射線量を測定する処理とフレコン１０を切断する処理とを一括して行うことが可能となるので、フレコン１０を切断してフレコン１０内の放射性廃棄物を放射濃度別に分別して廃棄する作業を短時間で行えるようになる。
【００２９】
また、従来、フレコン１０をベルトコンベヤで搬送させて切断した後にフレコン１０を回収する装置があったが、この装置の場合、フレコン１０の回収時にフレコン１０の吊り紐１１をクレーンで掴まなくてはならず、吊り紐１１をクレーンで掴み直す作業は困難であった。一方、実施形態では、フレコン１０が床５１に載置されたままの状態で切断されるので、吊り紐１１をクレーンで掴んだまま処理を行え、処理終了後に吊り紐１１を掴み直す必要がなくなるので、フレコン１０の回収作業が容易となる。
【００３０】
尚、上記では、切断装置８として、片持ち梁状の走行体８６を備えたウォータージェット装置８１，８１を用いた例を示したが、図５に示すように、両持ち梁状（門型状）の走行体８６Ａを備えたウォータージェット装置８１Ａ，８１Ａを用いてもよい。当該構成の場合、ウォータージェット装置８１Ａ，８１Ａを別々に駆動させればよい。当該ウォータージェット装置８１Ａ，８１Ａを用いた場合、構造的に安定な切断装置８となる。
【００３１】
また、図６に示すように、３つのウォータージェット装置８１Ｂ，８１Ｂ，８１Ｂがそれぞれ三角形の一辺を構成するレール８５Ｂ，８６Ｂ，８５Ｂ上を走行する構成とし、六角形の筒体５２の底側に床５１を設け、当該床５１に、六角形の筒体５２の下端開口縁部における正六角形の対角同士を繋ぐ一直線状の３つの切断案内溝５５を設けた構成としてもよい。このようにすれば、フレコン１０の底部を６等分に切断できるので、フレコン１０内に放射性廃棄物を残留させないように排出させることが可能なように、フレコン１０の底部をより確実に底抜けさせることができる。
【００３２】
また、切断装置８は、図７に示すように、一方のウォータージェット装置８１Ｃが、上方から見て、一方の切断案内溝５５の中心線（対角線Ｆ)の延長線上において延長するように設けられたレール８５Ｃと、当該レール８５Ｃ上において当該レール８５Ｃと同方向に延長するように設けられた走行体８６Ｃと、走行体８６Ｃにおける一方の切断案内溝５５に近い側の端部に設けられたノズル８２とを備え、同様に、他方のウォータージェット装置８１Ｃが、上方から見て、他方の切断案内溝５５の中心線（対角線Ｆ）の延長線上において延長するように設けられたレール８５Ｃと、当該レール８５Ｃ上において当該レール８５Ｃと同方向に延長するように設けられた走行体８６Ｃと、走行体８６Ｃにおける他方の切断案内溝５５に近い側の端部に設けられたノズル８２とを備えた構成としてもよい。
当該切断装置８によれば、作業者が走行体８６Ｃを操作して走行体８６Ｃを移動させる構成とすることも可能となり、この場合、作業者がフレコン１０の底部の切断状況を確認しながらノズル８２の位置を調整することが可能となり、切断作業の効率化が図れる。
【００３３】
また、筒体５２を筒体の中心軸を回転中心として回転可能なように構成すれば、筒体５２の壁に１個の設置孔７１を設けて１個の放射線量測定装置７を設けるだけで、１個の放射線量測定装置７でフレコン１０の周囲を測定することが可能となり、放射線量測定の精度を向上させることが可能となる。
【００３４】
尚、切断手段は、刃物であってもよい。この場合、人が刃物を用いてフレコン１０の底部を切断するようにしてもよい。即ち、切断時において床５１を閉状態とできるので、放射性廃棄物が一気に落下することがないため、人が下に入って切断することも可能となる。
また、切断手段として、回転式切断機を用いても良い。
このように、切断手段として、ウォータジェット、あるいは、刃物、あるいは、回転式切断機を用いるので、フレコン１０の底部を確実に切断でき、また、フレコン１０内に収容された被収容物として可燃性の物が含まれている場合でも安全にフレコン１０の底部を切断できるようになる。
【００３５】
また、筒体５２は、円筒体であってもよい。
また、フレコン１０内に収容される被収容物は、放射性廃棄物以外であってもよい。例えば、産業廃棄物、一般廃棄物、粉体等であってもよい。
【符号の説明】
【００３６】
１  破袋装置、４  搬送装置、
５  フレコン載置部（フレキシブルコンテナバッグ載置部）、
６  重量測定装置、７  放射線量測定装置、８  切断装置、
１０  フレコン（フレキシブルコンテナバッグ）、５１  床、５２  筒体、
５３  可動床、５５  切断案内溝。
【図１】
0006310433.tif 000002
【図２】
0006310433.tif 000003
【図３】
0006310433.tif 000004
【図４】
0006310433.tif 000005
【図５】
0006310433.tif 000006
【図６】
0006310433.tif 000007
【図７】
0006310433.tif 000008